(57)【特許請求の範囲】
【請求項１】
設置面に向く筐体の下面から反対側の上側に貫通して設けられ、歯ブラシの柄が挿入される保持孔と、
前記保持孔に対する歯ブラシの柄の挿抜を検出する検出部と、
音声出力部と、
を備え、
歯ブラシの柄が前記保持孔から抜去されたことを前記検出部が検出した場合に、前記音声出力部から所定時間長の音声を出力し、
前記音声の出力途中に、歯ブラシの柄が前記保持孔に挿入されたことを前記検出部が検出した場合に、前記音声の出力を中断し、
前記音声の出力を中断した後、所定時間経過後に歯ブラシの柄が前記保持孔から抜去されたことを前記検出部が検出した場合に、前記音声を最初から出力する歯ブラシスタンド。
【請求項２】
請求項１記載の歯ブラシスタンドであって、
前記音声の出力を中断した後、所定時間内に歯ブラシの柄が前記保持孔から抜去されたことを前記検出部が検出した場合に、前記音声の出力を中断箇所から再開する歯ブラシスタンド。
【請求項３】
請求項１又は２記載の歯ブラシスタンドであって、
前記音声は、楽曲と、時間間隔をあけた複数の台詞とを含み、
前記複数の台詞は、磨き部位を順に教示するものである歯ブラシスタンド。
【請求項４】
請求項１から３のいずれか一項記載の歯ブラシスタンドであって、
前記保持孔は、前記筐体の上面側の開口面積よりも下面側の開口面積が小さい歯ブラシスタンド。
【請求項５】
請求項１から４のいずれか一項記載の歯ブラシスタンドであって、
前記検出部は、前記保持孔の側面から保持孔に突出し、前記保持孔に挿入された歯ブラシの柄に係合する係合部材を有する歯ブラシスタンド。
【請求項６】
請求項５記載の歯ブラシスタンドであって、
前記係合部材は、筐体内に没入可能に設けられ且つ保持孔に向けて突出付勢されており、前記保持孔に歯ブラシの柄が挿入された際に筐体内に没入し、前記保持孔から歯ブラシの柄が抜去された際に保持孔に突出する歯ブラシスタンド。
【請求項７】
請求項６記載の歯ブラシスタンドであって、
前記係合部材は、歯ブラシの柄に設けられている孔に係合する歯ブラシスタンド。
【請求項８】
請求項７記載の歯ブラシスタンドであって、
前記係合部材は、歯ブラシの柄の末端部に設けられている孔に係合し、柄の末端が設置面から浮いた状態に歯ブラシを保持する歯ブラシスタンド。
【請求項９】
請求項５から８のいずれか一項記載の歯ブラシスタンドであって、
前記係合部材は、前記保持孔における下側部位に設けられている歯ブラシスタンド。
【請求項１０】
請求項１から９のいずれか一項記載の歯ブラシスタンドであって、
前記音声出力部の放射口は、前記筐体の下面にあって設置面から浮いた状態に設けられている歯ブラシスタンド。
【請求項１１】
請求項１から１０のいずれか一項記載の歯ブラシスタンドであって、
前記音声出力部は、前記筐体の正面側に設けられ、
前記保持孔は、前記筐体の背面側に設けられている歯ブラシスタンド。
【発明の詳細な説明】
【技術分野】
【０００１】
本発明は、歯ブラシスタンドに関する。
【背景技術】
【０００２】
音声などの報知手段を用いて所定の歯磨き時間の経過を報知する歯ブラシスタンドが知られている（例えば、特許文献１参照）。この種の歯ブラシスタンドは、例えば歯磨きを適正な時間で自主的に行うことが不得手な小児等に対し、適正な歯磨き時間の経過を知らせることによって歯磨きを適正な時間継続することを促し、歯の健康の増進を図ることができる。
【０００３】
特許文献１に記載された歯ブラシスタンドでは、歯ブラシの柄が挿入される保持孔の底にスイッチが設けられており、保持孔から歯ブラシの柄が抜去されることによってスイッチがＯＮとなり、スイッチがＯＮとなってから所定時間経過後にブザーが動作され、適正な歯磨き時間が報知される。
【先行技術文献】
【特許文献】
【０００４】
【特許文献１】実開昭５９−１２３４８６号公報
【発明の概要】
【発明が解決しようとする課題】
【０００５】
特許文献１に記載された歯ブラシスタンドでは、保持孔に対する歯ブラシの柄の挿抜を検出するスイッチが保持孔の底に設けられており、保持孔の底が閉塞されている。濡れた状態の歯ブラシが歯ブラシスタンドにセットされた場合に、水が柄を伝って保持孔の底に溜まり、歯ブラシの保管が不衛生となって、歯の健康を損なう虞がある。
【０００６】
本発明は、上述した事情に鑑みなされたものであり、歯の健康の増進を図ることができる歯ブラシスタンドを提供することを目的としている。
【課題を解決するための手段】
【０００７】
本発明に係る歯ブラシスタンドは、設置面に向く筐体の下面から反対側の上面に貫通して設けられ、歯ブラシの柄が挿入される保持孔と、前記保持孔に対する歯ブラシの柄の挿抜を検出する検出部と、音声出力部と、を備え、歯ブラシの柄が前記保持孔から抜去されたことを前記検出部が検出した場合に、前記音声出力部から所定時間長の音声を出力することを特徴とする。
【０００８】
また、本発明に係る歯ブラシスタンドにおいては、前記音声の出力途中に、歯ブラシの柄が前記保持孔に挿入されたことを前記検出部が検出した場合に、前記音声の出力を中断してもよい。
【０００９】
また、本発明に係る歯ブラシスタンドにおいては、前記音声の出力を中断した後、所定時間内に歯ブラシの柄が前記保持孔から抜去されたことを前記検出部が検出した場合に、前記音声の出力を中断箇所から再開してもよい。
【００１０】
また、本発明に係る歯ブラシスタンドにおいては、前記音声の出力を中断した後、所定時間経過後に歯ブラシの柄が前記保持孔から抜去されたことを前記検出部が検出した場合に、前記音声を最初から出力してもよい。
【００１１】
また、本発明に係る歯ブラシスタンドにおいては、前記音声は、楽曲と、時間間隔をあけた複数の台詞とを含み、前記複数の台詞は、磨き部位を順に教示するものであってもよい。
【００１２】
また、本発明に係る歯ブラシスタンドにおいては、前記保持孔は、前記筐体の上面側の開口面積よりも下面側の開口面積が小さくてもよい。
【００１３】
また、本発明に係る歯ブラシスタンドにおいては、前記検出部は、前記保持孔の側面から保持孔に突出し、前記保持孔に挿入された歯ブラシの柄に係合する係合部材を有してもよい。
【００１４】
また、本発明に係る歯ブラシスタンドにおいては、前記係合部材は、筐体内に没入可能に設けられ且つ保持孔に向けて突出付勢されており、前記保持孔に歯ブラシの柄が挿入された際に筐体内に没入し、前記保持孔から歯ブラシの柄が抜去された際に保持孔に突出してもよい。
【００１５】
また、本発明に係る歯ブラシスタンドにおいては、前記係合部材は、歯ブラシの柄に設けられている孔に係合してもよい。
【００１６】
また、本発明に係る歯ブラシスタンドにおいては、前記係合部材は、歯ブラシの柄の末端部に設けられている孔に係合し、柄の末端が設置面から浮いた状態に歯ブラシを保持してもよい。
【００１７】
また、本発明に係る歯ブラシスタンドにおいては、前記係合部材は、前記保持孔における下側部位に設けられていてもよい。
【００１８】
また、本発明に係る歯ブラシスタンドにおいては、前記音声出力部の放射口は、前記筐体の下面にあって設置面から浮いた状態に設けられていてもよい。
【００１９】
また、本発明に係る歯ブラシスタンドにおいては、前記音声出力部は、前記筐体の正面側（歯ブラシスタンドの設置状態において前方側）に設けられ、前記保持孔は、前記筐体の背面側（歯ブラシスタンドの設置状態において後方側）に設けられていてもよい。
【発明の効果】
【００２０】
本発明によれば、歯の健康の増進を図ることができる歯ブラシスタンドを提供することができる。
【図面の簡単な説明】
【００２１】
【図１】本発明の実施形態を説明するための歯ブラシスタンドの一例の筐体上面側の斜視図である。
【図２】図１に示す歯ブラシスタンドの筐体下面側の斜視図である。
【図３】図１に示す歯ブラシスタンドの機能ブロック図である。
【図４】図１に示す歯ブラシスタンドの歯ブラシ挿入時における断面図である。
【図５】図１に示す歯ブラシスタンドの歯ブラシ抜去時における断面図である。
【図６】図１に示す歯ブラシスタンドの動作の一例を示すフロー図である。
【発明を実施するための形態】
【００２２】
図１及び図２は、本発明の実施形態を説明するための歯ブラシスタンドの一例を示す。
【００２３】
歯ブラシスタンド１は、歯ブラシ２を保持し、保持する歯ブラシ２が使用される際には音声を通じて使用者に適正な歯磨きを促す。
【００２４】
歯ブラシスタンド１は、設置面に向く下面１０ａから反対側の上面１０ｂに貫通する保持孔１１が設けられた筐体１０を有する。筐体１０の保持孔１１には、歯ブラシ２の柄３が挿入される。
【００２５】
濡れた状態の歯ブラシ２の柄３が保持孔１１に挿入された場合に、歯ブラシ２に付着している水は柄３を伝って保持孔１１の底に向かうが、保持孔１１が筐体１０を貫通して形成されていることにより、柄３を伝う水は保持孔１１の底に溜まらずに設置面に落ちる。これにより、歯ブラシ２を衛生的に保管することができる。
【００２６】
保持孔１１は筐体１０の上面１０ｂから下面１０ａに向けて開口面積が次第に狭まるテーパ状となっており、図示の例では下面１０ａにおける保持孔１１の開口幅Ｗａが上面１０ｂにおける保持孔１１の開口幅Ｗｂよりも小さくなっている。これにより、歯ブラシ２の柄３が保持孔１１に挿入される際の良好な挿入性と、保持孔１１に挿入された柄３の高い安定性とを両立させることができる。
【００２７】
筐体１０の下面１０ａの四隅には、歯ブラシスタンド１の設置面と接する脚部１２が設けられており、歯ブラシスタンド１が設置された状態で、下面１０ａは設置面から浮くこととなる。
【００２８】
筐体１０の下面１０ａには歯ブラシスタンド１から出力される音声の放射口１３及び電池蓋１７がさらに設けられている。歯ブラシスタンド１は例えば洗面台などの水回りに設置されるが、放射口１３及び電池蓋１７が下面１０ａに設けられていることにより、放射口１３及び電池蓋１７に水がかかることが抑制される。これにより、歯ブラシスタンド１の故障を抑制することができる。
【００２９】
さらに、筐体１０の下面１０ａが設置面から浮いていることで、放射口１３及び電池蓋１７もまた設置面から浮き、設置面に溜まった水が放射口１３や電池蓋１７を通して筐体１０の内部に進入することが抑制される。これにより、歯ブラシスタンド１の故障を抑制することができる。
【００３０】
また、放射口１３が設置面から浮くことで、放射口１３から放射される音声の明瞭性を高めることができる。
【００３１】
図３は、歯ブラシスタンド１の機能ブロックを示す。
【００３２】
歯ブラシスタンド１は、検出部２０と、音声出力部２１と、記憶部２２と、制御部２３と、電源部２４と、を筐体１０の内部に備える。
【００３３】
検出部２０は、筐体１０の保持孔１１に対する歯ブラシ２の挿抜を検出する。
【００３４】
音声出力部２１は、スピーカ２１ａ及びスピーカ２１ａの駆動回路２１ｂを含み、制御部２３の制御のもとでスピーカ２１ａから音声を出力する。スピーカ２１ａから出力される音声は、筐体１０の下面１０ａに設けられた放射口１３を通して筐体１０の外部に放射される。
【００３５】
記憶部２２は、例えばＲＯＭ（Read Only Memory）やＲＡＭ（Random Access Memory）などの記憶媒体を含んで構成され、制御部２３によって実行されるプログラムや、音声出力部２１に出力させる音声データを記憶している。
【００３６】
制御部２３は、例えばマイクロプロセッサなどの処理装置を含み、記憶部２２に記憶されたプログラムに従って動作する。そして、制御部２３は、検出部２０によって検出される歯ブラシ２の挿抜に基づき、音声データを記憶部２２から読み出し、読み出した音声データに基づいて音声出力部２１を動作させる。
【００３７】
図４及び図５は、検出部２０の一例の構成を示す。
【００３８】
検出部２０は、係合部材１４と、係合部材１４を付勢する付勢部材１５と、係合部材１４によって開閉されるスイッチ１６とを有する。
【００３９】
係合部材１４は、保持孔１１の側面から保持孔１１に突出し、保持孔１１に挿入される歯ブラシ２の柄３に係合する。係合部材１４は、筐体１０の内部に没入可能とされており、付勢部材１５によって保持孔１１に向けて突出付勢されている。
【００４０】
歯ブラシ２の柄３が保持孔１１に挿入されると、係合部材１４は柄３に押圧されて筐体１０の内部に没入し、柄３が保持孔１１から抜去されると、係合部材１４は付勢部材１５に付勢されて保持孔１１に突出する。
【００４１】
スイッチ１６は、歯ブラシ２の挿抜に伴う係合部材１４の変位に応じてオン／オフされる。スイッチ１６のオン／オフによって歯ブラシ２の挿抜が検出され、制御部２３はスイッチ１６のオン／オフに基づいて歯ブラシ２の挿抜を判定する。
【００４２】
ここで、保持孔１１に挿入された歯ブラシ２の柄３は、突出付勢された係合部材１４と係合部材１４に対向する保持孔１１の側面との間に挟まれて保持される。そこで、柄３の末端が歯ブラシスタンド１の設置面から浮いた状態に歯ブラシ２を保持可能となる。柄３を伝って滴り落ちた水により設置面が濡れるとしても、柄３の末端を設置面から浮かせることにより、保管時に歯ブラシ２を乾燥させることができ、歯ブラシ２を衛生的に保管することができる。
【００４３】
図示の例のように、歯ブラシ２の柄３の末端部に孔４が設けられている場合に、係合部材１４の突端部が孔４に入り込むように係合部材１４を構成してもよい。係合部材１４と孔４との係合によって生じるクリック感により、柄３の末端が設置面から浮いた状態となる柄３の挿入深さを使用者に知覚させることができる。また、柄３の保持力を高めることもできる。
【００４４】
好ましくは、係合部材１４は保持孔１１の下側部位に配置される。これにより、保持孔１１に挿入された歯ブラシ２の柄３の安定性を高めることができる。また、好ましくは、スピーカ２１ａ等の比較的重量物を含む音声出力部２１は筐体１０の正面側に設けられ、保持孔１１は筐体１０の背面側に設けられる。これにより、音声出力部２１が配置された筐体１０の正面側に歯ブラシスタンド１の重心を寄せ、柄３が保持孔１１から抜去される際の筐体１０の安定性を高めることができる。
【００４５】
図６は、歯ブラシスタンド１の動作フローの一例を示す。
【００４６】
まず、歯ブラシスタンド１は、歯ブラシ２の柄３が保持孔１１に挿入されたスタンバイ状態にあるものとする（ステップＳ１）。
【００４７】
スタンバイ状態で歯ブラシ２の柄３が保持孔１１から抜去されると、筐体１０の内部に押し込まれていた係合部材１４が保持孔１１に突出し、検出部２０によって柄３の抜去が検出される（ステップＳ２）。
【００４８】
検出部２０によって柄３の抜去が検出された場合（ステップＳ２−Ｙｅｓ）に、制御部２３は、音声データを記憶部２２から読み出し、読み出した音声データに基づいて音声出力部２１を動作させ、音声出力部２１から所定時間長の音声を出力させる（ステップＳ３）。
【００４９】
所定時間長の音声としては楽曲を例示することができ、楽曲の長さは、例えば一般に適正な歯磨き時間とされる２分〜３分程度とすることができる。楽曲の終わりによって適正な歯磨き時間の経過を使用者に知らせ、歯磨きを適正な時間継続して行うことを使用者に促すことができる。
【００５０】
さらに、時間間隔をあけた複数の台詞を音声に含んでもよく、複数の台詞は、例えば「まずは上の歯の表側から磨こう」や「次は上の歯の裏側を磨こう」のように磨き部位を順に教示するものとすることができる。これにより、磨き部位毎に適正な時間で、歯磨きを万遍なく行うことを使用者に促すことができる。
【００５１】
所定時間長の音声の出力が完了した場合（ステップＳ４−Ｙｅｓ）に、制御部２３は、音声出力の処理を終了し、歯ブラシ２の柄３が保持孔１１に挿入され、検出部２０によって柄３の挿入が検出されるのを待って、スタンバイ状態に移行する（ステップＳ５）。
【００５２】
ここで、所定時間長の音声の出力途中に歯ブラシ２の柄３が保持孔１１に挿入され、検出部２０によって柄３の挿入が検出された場合に（ステップＳ６−Ｙｅｓ）、制御部２３は、音声出力部２１からの音声出力を中断させる（ステップＳ７）。
【００５３】
そして、音声出力が中断されてから所定時間（例えば５秒）以内に歯ブラシ２の柄３が保持孔１１から再び抜去された場合に（ステップＳ８−Ｙｅｓ）、制御部２３は、中断した箇所から音声の出力を再開させる（ステップＳ９）。これに対し、柄３が保持孔１１から抜去されることなく上記所定時間が経過した場合に（ステップＳ８−Ｎｏ）、制御部２３は、音声出力の処理を終了し、スタンバイ状態に移行する（ステップＳ１０）。このように、音声出力の中断・再開を可能とすることにより、歯ブラシスタンド１の利便性を高めることができる。
【００５４】
以上、説明したように、本歯ブラシスタンド１によれば、歯ブラシ２を衛生的に保管し、使用者に対して適正な歯磨きを自主的に行うことを促して、歯の健康の増進を図ることができる。
【符号の説明】
【００５５】
１     歯ブラシスタンド
２     歯ブラシ
３     柄
４     孔
１０   筐体
１０ａ 下面
１０ｂ 上面
１１   保持孔
１２   脚部
１３   放射口
１４   係合部材
１５   付勢部材
１６   スイッチ
１７   電池蓋
２０   検出部
２１   音声出力部
２２   記憶部
２３   制御部
２４   電源部
【要約】
【課題】歯の健康の増進を図ることができる歯ブラシスタンドを提供する。
【解決手段】歯ブラシスタンド１は、設置面に向く筐体１０の下面１０ａから反対側の上面１０ｂに貫通して設けられ、歯ブラシ２の柄３が挿入される保持孔１１と、保持孔１１に対する歯ブラシ２の柄３の挿抜を検出する検出部２０と、音声出力部２１と、を備え、歯ブラシ２の柄３が保持孔１１から抜去されたことを検出部２０が検出した場合に、音声出力部２１から所定時間長の音声を出力する。
【選択図】図１【図１】
0005936750.tif 000002
【図２】
0005936750.tif 000003
【図３】
0005936750.tif 000004
【図４】
0005936750.tif 000005
【図５】
0005936750.tif 000006
【図６】
0005936750.tif 000007